(57)【要約】【課題】  洗浄槽を自動的に開閉できる使い勝手のよい安全な食器洗浄機を提供する。【解決手段】  食器類を出し入れする開口部を上側に有する洗浄槽と、前記洗浄槽を保持する外枠と、前記洗浄槽に設けた洗浄手段と、前記洗浄槽を前記外枠から前方に引き出し可能とする移動手段と、前記洗浄槽を前記移動手段により前後方向に動かす駆動手段とを備え、前記駆動手段により前記洗浄槽を前記外枠内から移動中に所定位置まで動作した後停止させ、前記移動手段はその停止後、手動で全開まで引き出し可能とした。【選択図】図１
2008073133.tif 000002
【特許請求の範囲】
【請求項１】
食器類を出し入れする開口部を上側に有する洗浄槽と、前記洗浄槽を保持する外枠と、前記洗浄槽に設けた洗浄手段と、前記洗浄槽を前記外枠から前方に引き出し可能とする移動手段と、前記洗浄槽を前記移動手段により前後方向に動かす駆動手段とを備え、前記駆動手段により前記洗浄槽を前記外枠内から移動中に所定位置まで動作した後停止させ、前記移動手段はその停止後、手動で全開まで引き出し可能としたことを特徴とする食器洗浄機。
【請求項２】
請求項１記載の食器洗浄機において、前記駆動手段により前記洗浄槽が前記外枠内から移動して、所定位置で停止したときに、前記洗浄槽の停止を報知する報知手段を有する食器洗浄機。
【請求項３】
請求項１記載の食器洗浄器において、前記駆動手段により前記洗浄槽が移動するとき、その移動前に前記洗浄槽が移動することを報知する報知手段を有する食器洗浄機。
【請求項４】
請求項１記載の食器洗浄器において、前記駆動手段により前記洗浄槽を引き出す動作若しくは引き込む動作の終了後に報知する報知手段を有することを特徴とする食器洗浄機。
【発明の詳細な説明】
【技術分野】
【０００１】
本発明は、外枠（筐体）より洗浄槽を引き出して食器類を収納し、洗浄する食器洗浄機の改良に関する。
【背景技術】
【０００２】
従来のこの種の食器洗浄機は、洗浄槽をスライドレールにより前方に引き出し可能として、本体外枠に備えた駆動モータ軸に歯車を有し、ラックギアが洗浄槽に備わり、歯車とラックギアで噛み合っており、駆動モータ軸が歯車を回転させて、ラックギアを手前に押し出したり奥へ引込むような力が作用することにより、洗浄槽を前後方向に動かすよう構成し、洗浄槽を自動的に引き出して開いたり、引き込んで閉じたりするように構成している。
【０００３】
このようにして、洗浄槽を引き出したり、引き込むときの操作力を不要とし、操作性を向上している（例えば、特許文献１参照）。
【０００４】
【特許文献１】特開２００２−３４５７１２号公報
【発明の開示】
【発明が解決しようとする課題】
【０００５】
しかしながら、上記従来技術において、洗浄槽を自動的に引き出す場合、引き出す方向に対する安全の配慮がなく、操作ボタンを押下すると全開まで一気に出てくるものであり、洗浄槽の前面ドア部は略４５０mm角で、床から略３５０〜８００mmの高さであり、洗浄槽の引き出す寸法は略５００mmとなっており、このような広い面積で一気に前方に飛び出てくるので、近年の平均的なキッチンの流し台の対面との作業スペースの略８００mm以下での使用の場合、洗浄槽の前面ドア部と対面との間に挟まれることがあり、安全性に対する配慮に欠けたものである。
【０００６】
また、操作ボタンを押下するユーザ本人とユーザ本人以外の付近にいる人に対して、聴覚，視覚により、これから洗浄槽が飛び出ることによる安全確保に留意してほしいという報知機能が備えられておらず、安全の確保は操作ボタンを押し下げするユーザに委ねられており、安全性に対する配慮に欠けたもこのである。
【０００７】
また、操作ボタンを押下するユーザ本人とユーザ以外の付近にいる人には、聴覚，視覚により、洗浄槽を自動的に引き出す動作が終了したことを報知する機能がないため、洗浄槽に近づいても安全であるということが判り難く、その結果食器を出し入れする等の行為を行ってよいのかが判り難く使い勝手が悪い。
【０００８】
本発明は、上記の問題に鑑み、洗浄槽を自動的に開閉できる使い勝手のよい安全な食器洗浄機を提供することを目的とする。
【課題を解決するための手段】
【０００９】
本発明は上記の問題を解決するためになされたものであり、請求項１は、食器類を出し入れする開口部を上側に有する洗浄槽と、前記洗浄槽を保持する外枠と、前記洗浄槽に設けた洗浄手段と、前記洗浄槽を前記外枠から前方に引き出し可能とする移動手段と、前記洗浄槽を前記移動手段により前後方向に動かす駆動手段とを備え、前記駆動手段により前記洗浄槽を前記外枠内から移動中に所定位置まで動作した後停止させ、前記移動手段はその停止後、手動で全開まで引き出し可能としたものである。
【００１０】
また、請求項２は、請求項１記載の食器洗浄機において、前記駆動手段により前記洗浄槽が前記外枠内から移動して、所定位置で停止したときに、前記洗浄槽の停止を報知する報知手段を有するものである。
【００１１】
また、請求項３は、請求項１記載の食器洗浄器において、前記駆動手段により前記洗浄槽が移動するとき、その移動前に前記洗浄槽が移動することを報知する報知手段を有するものである。
【００１２】
また、請求項４は、請求項１記載の食器洗浄器において、前記駆動手段により前記洗浄槽を引き出す動作若しくは引き込む動作の終了後に報知する報知手段を有するものである。
【発明の効果】
【００１３】
本発明の食器洗浄機は、上記のように構成したことにより、請求項１では洗浄槽が所定位置までしか自動で出てこないので、その後は洗浄槽の前方の安全を確認しながらユーザが手動で残りの出寸法を引き出すことができるため、洗浄槽の前面ドア部と対面との間に挟まれることがなく安全に使用することができる。
【００１４】
また、請求項２では洗浄槽が所定位置まで自動で出た後、聴覚，視覚により報知するので、ユーザは洗浄槽の前方の安全を確認しながら手動で残りの出寸法を引き出すことができるため、安全に使用することができると共に使い勝手が良い。
【００１５】
また、請求項３ではユーザ本人とユーザ本人以外に付近にいる人には、聴覚，視覚により、これから洗浄槽が引き出されることの報知機能を有しているので、洗浄槽から離れて安全を確保することができるため、安全に使用することができる。
【００１６】
また、請求項４ではユーザ本人とユーザ本人以外に付近にいる人には、聴覚，視覚により、洗浄槽の引き出し動作，引き込み動作が終了したことの報知機能を有しているので、洗浄槽に近づいても安全であり食器類の出し入れなどの作業を行っても良いことが判り易く使い勝手が良いと共に安全に使用することができる。
【発明を実施するための最良の形態】
【００１７】
以下、本発明の実施の形態について、図面を参照しながら説明する。
【実施例１】
【００１８】
本発明の実施例１について、図１〜図８を参照して説明する。図１は本発明の実施例１に係わる食器洗浄機の洗浄槽を外枠から引き出した状態を示す側面断面図、図２は同じく食器洗浄機の洗浄機構を示す部分断面斜視図、図３は同じく食器洗浄機の前面操作部を示す斜視図、図４は同じく洗浄槽に具備する駆動手段を示す斜視図、図５は同じく洗浄槽の位置を検出する検出手段の配置図、図６は同じく洗浄槽が第１検知手段の位置で停止した状態の斜視図、図７は同じく洗浄槽を開く動作の位置と速度の関係図、図８は同じく洗浄槽を開く動作の位置と速度の制御フローチャート図である。
【００１９】
本発明による食器洗浄機はシステムキッチンの一部として組み込まれており、キッチンに組み込む外枠１に食器類３を出し入れする開口部２ａを上側に有する洗浄槽２が、水平方向に出し入れ自在に収納し保持する構成であって、洗浄槽２を手前に引き出して上面を開放して食器類３をセットしたり、取り出したりできるものである。
【００２０】
洗浄槽２の内部には食器類３をセットするかご４が収納されており、かご４の下方には洗浄水を上方に向かって噴射しながら回転する回転ノズル５のごとき洗浄手段が設けられている。回転ノズル５から噴射された洗浄水は、食器類３を洗浄したのち、洗浄槽２から排出されてポンプ等の洗浄機構６によって加圧され、再度回転ノズル５から噴射されて循環しながら食器類３を洗浄する構成である。
【００２１】
食器類３の洗浄が終了したら、洗浄水はバルブ（図示せず）を開放させることで、排水ホース（図示せず）を経由して食器洗浄機本体７から排水される。
【００２２】
洗浄槽２の前面側には前面側に引き出すことができるドア部８と、ドア部８の前端には操作部４０により構成され、また、ドア部８には取っ手８ａが設けられている。
【００２３】
操作部４０には、洗浄槽２を開くときに押す、開くボタン４１と、洗浄槽２を閉じるときに押す、閉じるボタン４２を備え、夫々が制御手段２４に接続されている。
【００２４】
外枠１の天井部分には水封用の内蓋９を備え、内蓋９と洗浄槽２との間からの水漏れを防止する。
【００２５】
洗浄槽２は前後に移動可能に支持された移動手段１０に載置されており、洗浄槽２を手前側に引き出したり、奥側に引き込むことが可能に構成されている。
【００２６】
洗浄槽２を移動可能にする移動手段１０は、外枠１に設けられたスライドレール固定部１１と、スライドレール固定部１１に対して摺動自在に支持されたスライドレール摺動部１２とを備え、互いにその長辺の方向に移動自在に支持させており、動作範囲を洗浄槽２の寸法よりも大とすれば、洗浄槽２を手前に引き出した際には洗浄槽２の上面が開放される。
【００２７】
移動手段１０のスライドレール固定部１１と、スライドレール摺動部１２との間には、直線状に動作する玉軸受（図示せず）が設けられており、摩擦負荷を低減してスライドレール摺動部１２の移動を軽快とすることができ、かつ、耐荷重が十分あり、洗浄槽２の自重と食器類３および水などの荷重が掛かったまま外枠１から洗浄槽２が引き出された状態でも耐えられる頑強さを有している。
【００２８】
スライドレール摺動部１２のうち、外枠１から最も前方まで引き出される一端には凹形状の軸受け１３が設けられており、洗浄槽２の前部に設けられた軸１４が嵌合することにより、洗浄槽２がスライドレール摺動部１２に止められている。
【００２９】
洗浄槽２の後部には駆動手段１５を備え、駆動手段１５は、モータ１６と、モータ１６を固定するモータベース１７と、車軸１８と、車軸１８とモータ１６の駆動力を伝達する駆動力伝達手段（例えばギアなど）１９と、車軸１８を受ける車軸受け２０と、軸受け固定金具２１と、車軸１８に固定されたタイヤ２２とで構成している。そして、タイヤ２２は、移動手段１０近傍の外枠１に固定して設けられた路面２３を直進走行する。
【００３０】
このように、洗浄槽２の前部に設けられた軸１４は、スライドレール摺動部１２の一端に設けられた軸受け１３に嵌合する構成であり、洗浄槽２の後部に備えられたタイヤ２２は、外枠１に固定して設けられた路面２３の上面に洗浄槽２の自重により載置される構成である。そして、路面２３はスライドレール固定部１１に沿って設けられており、かつ路面２３の長さはスライドレール摺動部１２の移動距離、すなわち、洗浄槽２が前後方向に移動する距離よりも大なるように構成している。そして、洗浄槽２は、洗浄槽２に固定した駆動手段１５のタイヤ２２を回転させて自走するように構成している。
【００３１】
したがって、構成が非常に簡単であり、また、外枠１とはタイヤ２２にかかる洗浄槽２の自重で乗りかかるだけなので、組立て上の精度はラフに管理することができ、安価に作ることができる。
【００３２】
また、洗浄槽２の自重と食器類３および水などの荷重は、洗浄槽２の前部の軸１４から軸受け１３の部分を介して移動手段１０に掛かる荷重と洗浄槽２の後部の駆動手段１５のタイヤ２２を介して外枠１の路面２３に掛かる荷重とに分散されるので、移動手段１０に掛かる荷重は軽減され、移動手段１０は耐荷重を軽量化できるのでコスト低減することができる。
【００３３】
また、洗浄槽２を駆動する力は駆動手段１５のタイヤ２２で前進後退をするため、万一洗浄槽２と外枠１の間で挟み込みがあっても、ユーザの力で洗浄槽２を簡単に引き出して回避できるため安全性に優れている。
【００３４】
また、駆動手段１５が洗浄槽２に固定されていて外枠１には大きく影響しない構成なので、駆動手段１５を持たない廉価型の食器洗浄機に洗浄槽２の部分を流用することが容易に可能となり、共用化が図れるためコストを低減できる。
【００３５】
制御手段２４は、操作部４０の入力信号や駆動手段１５のモータ１６の通電等を制御している。また、制御手段２４は電源を含んでいるので、駆動手段１５や、操作部４０や、後述する検知手段２６への電力を供給している。また、駆動手段１５と制御手段２４との間を接続する接続ケーブル２５は、洗浄槽２が前後方向に移動する移動量よりも大きなたるみをもって接続されている。
【００３６】
検出手段２６は、外枠１内の洗浄槽２が移動する全工程において、洗浄槽２の位置を検出するために配置されている。また、検出手段２６は、外枠１に洗浄槽２が収納され上側の開口が閉鎖されていることを検出する全閉検知手段２７と、上側の開口が全開されていることを検知する全開検知手段２８と、全開と全閉との間に配置され全閉位置から例えば１００mm程度手前に配置された第１検知手段２９を備えている。
【００３７】
これらの検知手段２６は、例えばマイクロスイッチのようなスイッチ、あるいは発光素子と受光素子とを向かい合わせて配置した光検知素子であって、洗浄槽２が閉鎖状態から開放状態まで移動する間の所定の位置に到達した際に、洗浄槽２に設けられた例えば板状の遮光部材が前記光検知素子の光を遮る構成であってもよい。
【００３８】
次に、以上の構成による洗浄槽２を引き出す動作について説明する。
【００３９】
図７及び図８に示すように、洗浄槽２が閉鎖されて全閉位置にあることを全閉検知手段２７が検出した状態においてユーザが開くボタン４１を押すと、制御手段２４は、駆動手段１５を通電してタイヤ２２を回転させ路面２３上を洗浄槽２を開く方向に速度Ｖ２で始動して進み、第１検知手段２９の位置で第１検知手段２９の信号を検出すると洗浄槽２は停止する。このときの停止位置は図６に示すように全閉位置から１００mm前に出た位置である。
【００４０】
次に、ユーザはドア部８の取っ手８ａを持って洗浄槽２を全開位置まで引き出して使用する。なお、このとき洗浄槽２の駆動手段１５は通電されていないので、モータ１６が空回りして洗浄槽２は自由に移動できるが、駆動力伝達手段１９の影響により駆動抵抗が大きくて軽い力で洗浄槽２を引き出せない場合は、駆動力伝達手段１９にクラッチ機構等を設け、制御手段２４によりクラッチ機構等を制御して駆動力伝達手段１９を切り離してタイヤ２２が自由に回転できるようにすればよい。
【００４１】
このように、洗浄槽２が所定位置までしか自動で出てこないので、その後は洗浄槽２の前方の安全を確認しながらユーザが手動で残りの出寸法を引き出すことにより、洗浄槽２の前面ドア部８と対面との間に挟まれることがなく安全に使用することができる。
【実施例２】
【００４２】
図９は本発明の第２の実施例の食器洗浄機の前面操作部４０を示す斜視図、図１０は同じく洗浄槽を開く動作の位置と速度の制御フローチャート図である。
【００４３】
本実施例では、第１の実施例で示した実施形態と同様な構成において、図９に示すように、ドア部８の前端に設けられた操作部４０には洗浄槽２を開け閉めするときに押す、開くボタン４１と、洗浄槽２を閉じるときに押す、閉じるボタン４２と、報知手段であるドア部８の正面に向かって光５０を放つＬＥＤなどによる複数の操作部点灯手段５１とメロディやブザ−音などの報知音５２を放つ鳴動手段５３を備えている。
【００４４】
また、外枠１前面の天井部分の天板１ａには、洗浄槽２を上から見たときに洗浄槽２内がほんのりと明るくなるような光５４を放つＬＥＤなどによる報知手段である外枠点灯手段５５を備えている。
【００４５】
これにより、洗浄槽２を引き出すときの動作が異なり、洗浄槽２が閉鎖されて全閉位置にあることを全閉検知手段２７が検出した状態において、ユーザが開くボタン４１を押すと、図１０に示すように制御手段２４は時間ｔ１（例えば１秒）の間、操作部点灯手段
５１を点滅して光５０を放つとともに、鳴動手段５３を動作させて報知音５２を放ち、さらに外枠点灯手段５５を動作させて光５４を放ち洗浄槽２の内部をほんのり明るくする。
【００４６】
次に、制御手段２４は駆動手段１５を通電してタイヤ２２を回転させ、タイヤ２２は路面２３上を洗浄槽２を開く方向に移動して開く動作を行う。このときの移動速度は図７に示すように、モータ１６に印加する電圧を調節して速度Ｖ２になるように始動して進み、第１検知手段２９の位置で第１検知手段２９の信号を検出すると停止する。
【００４７】
次に、制御手段２４は時間ｔ２（例えば２秒）間操作部点灯手段５１を点滅して光５０を放つとともに、鳴動手段５３を動作させて報知音５２を放ち、さらに外枠点灯手段５５を動作させて光５４を放ち、洗浄槽２の内部をほんのり明るくする。
【００４８】
次にユーザは、ドア部８の取っ手８ａを持って洗浄槽２を全開位置まで引き出して使用する。
【００４９】
このように、開くボタン４１を押下するユーザ本人とユーザ本人以外に付近にいる人には、聴覚，視覚により、これから洗浄槽２が開き始めるから離れて安全を確保してほしいという意思する機能が機器にあるので、安全に配慮されている。
【００５０】
また、洗浄槽２の近くにいて上から見下ろす場合には、外枠点灯手段５５により洗浄槽２内をほんのりと明るくする光５４を放つため、非常に視認し易いものである。
【００５１】
また、洗浄槽２が所定位置まで自動で出た後、聴覚，視覚により報知するのでユーザは洗浄槽２の前方の安全を確認しながら手動で残りの出寸法を引き出すことができるため、安全に使用することができると共に使い勝手が良い。
【実施例３】
【００５２】
図１１は本発明の第３の実施例の洗浄槽の位置を検出する検出手段２６の配置図、図
１２は同じく洗浄槽が全閉検出手段２８の位置で停止した状態の斜視図、図１３（ａ）は同じく洗浄槽を開く動作の位置と速度の関係図、図１３（ｂ）は同じく洗浄槽を閉じる動作の位置と速度の関係図、図１４は（ａ）同じく洗浄槽を開く動作の位置と速度の制御フローチャート図、図１４（ｂ）は同じく洗浄槽を閉じる動作の位置と速度の制御フローチャート図である。
【００５３】
本実施例では第２の実施例で示した実施形態と同様な構成において、図１１に示すように、検出手段２６は、外枠１に洗浄槽２が収納され上側の開口が閉鎖されていることを検出する全閉検知手段２７と、上側の開口が全開されていることを検知する全開検知手段
２８と、全開と全閉との間に配置され全閉点まで例えば２０〜３０mm程度手前に配置された第１検知手段２９、および、全開と全閉との間に配置され全開点までの距離が例えば
２０〜３０mm程度手前に配置された第２検知手段３０とを備えている。
【００５４】
これにより、洗浄槽２を引き出して全開にする動作と引き込んで全閉にする動作を自動で行うようにしたものである。
【００５５】
洗浄槽２が閉鎖されて全閉位置にあることを全閉検知手段２７が検出した状態において、ユーザが開くボタン４１を押すと、図１４（ａ）に示すように制御手段２４は時間ｔ１（例えば１秒）の間、操作部点灯手段５１を点滅して光５０を放つとともに、鳴動手段
５３を動作させて報知音５２を放ち、さらに外枠点灯手段５５を動作させて光５４を放ち洗浄槽２の内部をほんのり明るくする。
【００５６】
次に、制御手段２４は駆動手段１５を通電してタイヤ２２を回転させ、タイヤ２２は路面２３上を洗浄槽２を開く方向に移動して開く動作を行う。このときの移動速度は図１３（ａ）に示すように、モータ１６に印加する電圧を調節して速度Ｖ２になるように始動して進み、第１検知手段２９の位置で第１検知手段２９の信号を検出すると、速度をＶ３になるように速度を上げて進み、第２検知手段３０の位置で第２検知手段３０の信号を検出すると、速度をＶ１に落として進み、全開検知手段２８の位置で全開検知手段２８の信号を検出すると、駆動手段１５の通電を停止する。そして、時間ｔ２（例えば２秒）間、操作部点灯手段５１が点滅して光５０を放ち、鳴動手段５３が報知音５２を放ち、外枠点灯手段５５が光５４を放ち洗浄槽２の中がほんのり明るくなって報知する。
【００５７】
このときの洗浄槽２の移動速度をＶ３＞Ｖ１，Ｖ３＞Ｖ２とすることで、ゆっくりと始動し、ゆっくりと停止するので洗浄槽２が移動する時の静粛性と機敏性が両立できる。
【００５８】
また、洗浄槽２の移動時にゆっくりと始動し、ゆっくりと停止するので、食器類３同士の接触を防止することができ、傷つきを防止できる。
【００５９】
また、速度をＶ２＞Ｖ１とすることで、動き始めの速度より動き終わりの速度を遅くすることにより、安全な感じを醸し出して高級感を印象付けることができる。
【００６０】
洗浄槽２を引き込んで閉じるときは、全開検知手段２８の信号が入力されているときにユーザが閉じるボタン４２を押すと、図１４（ｂ）に示すように制御手段２４は時間ｔ１（例えば１秒）の間、操作部点灯手段５１を点滅して光５０を放つとともに、鳴動手段
５３を動作させて報知音５２を放ち、さらに外枠点灯手段５５を動作させて光５４を放ち洗浄槽２の内部をほんのり明るくする。
【００６１】
上記点滅と鳴動が終わると、図１３（ｂ）に示すように洗浄槽２が速度Ｖ２になるように始動して進み、第２検知手段３０の位置で第２検知手段３０の信号を検出すると、速度をＶ３になるように上げて進み、第１検知手段２９の位置で第１検知手段２９の信号を検出すると、速度Ｖ１に落として進み、全閉検知手段２７の位置で全閉検知手段２７の信号を検出すると、駆動手段１５の通電を停止する。
【００６２】
そして、時間ｔ２（例えば２秒）間、操作部点灯手段５１が点滅して光５０を放ち、鳴動手段５３が報知音５２を放ち、外枠点灯手段５５が光５４を放ち洗浄槽２の中がほんのり明るくなって報知する。このときの洗浄槽２の移動速度をＶ３＞Ｖ１，Ｖ３＞Ｖ２とすることで、ゆっくりと始動し、ゆっくりと停止するので洗浄槽２が移動する時の静粛性と機敏性が両立できる。
【００６３】
また、洗浄槽２の移動時にゆっくりと始動し、ゆっくりと停止するので、食器同士の接触を防止することができ、傷つきを防止できる。
【００６４】
また、速度をＶ２＞Ｖ１とすることで、動き始めの速度より動き終わりの速度をゆっくりと減速して、安全な感じを醸し出して高級感を印象付けることができる。
【００６５】
このように、開くボタン４１を押下すると、ユーザ本人とユーザ本人以外に付近にいる人には、聴覚，視覚により、これから洗浄槽２が引き出されることの報知機能を有しているので、洗浄槽２から離れて安全を確保することができるため、安全に使用することができる。
【００６６】
また、洗浄槽２が引き出されて開き終わった時点で、ユーザ本人とユーザ本人以外に付近にいる人には、聴覚，視覚により、洗浄槽２の引き出し動作が終了したことの報知機能を有しているので、洗浄槽２に近づいても安全であり食器類３の出し入れなどの作業を行っても良いことが判り易く使い勝手が良いと共に安全に使用することができる。
【００６７】
また、閉じるボタン４２を押下すると、ユーザ本人とユーザ本人以外に付近にいる人には、聴覚，視覚により、これから洗浄槽２が引き込まれることの報知機能を有しているので、洗浄槽２と外枠１の間で挟み込みが発生しないように洗浄槽２から離れて安全を確保することができるため、安全に使用することができる。
【００６８】
また、閉じるボタン４２を押下すると、外枠点灯手段５５により洗浄槽２内をほんのりと明るくする光５４を放つため、上から見下ろして行う操作部４０の操作時には非常に視認し易いものである。
【００６９】
また、洗浄槽２が引き込まれて閉じ終わった時点で、ユーザ本人とユーザ本人以外に付近にいる人には、聴覚，視覚により、洗浄槽２の引き込み動作が終了したことの報知機能を有しているので、安全に使用することができる。
【図面の簡単な説明】
【００７０】
【図１】本発明の実施例１に係わる食器洗浄機の洗浄槽を外枠から引き出した状態を示す側面断面図である。
【図２】同じく食器洗浄機の洗浄機構を示す部分断面斜視図である。
【図３】同じく食器洗浄機の前面操作部を示す斜視図である。
【図４】同じく洗浄槽に具備する駆動手段を示す斜視図である。
【図５】同じく洗浄槽の位置を検出する検出手段の配置図である。
【図６】同じく洗浄槽が第１検知手段の位置で停止した状態の斜視図である。
【図７】同じく洗浄槽を開く動作の位置と速度の関係図である。
【図８】同じく洗浄槽を開く動作の位置と速度の制御フローチャート図である。
【図９】本発明の第２の実施例の食器洗浄機の前面操作部４０を示す斜視図である。
【図１０】同じく洗浄槽を開く動作の位置と速度の制御フローチャート図である。
【図１１】本発明の第３の実施例の洗浄槽の位置を検出する検出手段２６の配置図である。
【図１２】同じく洗浄槽が全閉検出手段２８の位置で停止した状態の斜視図である。
【図１３】（ａ）は同じく洗浄槽を開く動作の位置と速度の関係図、（ｂ）は同じく洗浄槽を閉じる動作の位置と速度の関係図である。
【図１４】（ａ）同じく洗浄槽を開く動作の位置と速度の制御フローチャート図、  （ｂ）は同じく洗浄槽を閉じる動作の位置と速度の制御フローチャート図である。
【符号の説明】
【００７１】
１  外枠
２  洗浄槽
２ａ  開口部
３  食器類
５  回転ノズル
１０  移動手段
１５  駆動手段
５１  操作部点灯手段
５３  鳴動手段
５５  外枠点灯手段
【図１】
2008073133.tif 000003
【図２】
2008073133.tif 000004
【図３】
2008073133.tif 000005
【図４】
2008073133.tif 000006
【図５】
2008073133.tif 000007
【図６】
2008073133.tif 000008
【図７】
2008073133.tif 000009
【図８】
2008073133.tif 000010
【図９】
2008073133.tif 000011
【図１０】
2008073133.tif 000012
【図１１】
2008073133.tif 000013
【図１２】
2008073133.tif 000014
【図１３】
2008073133.tif 000015
【図１４】
2008073133.tif 000016